(57)【要約】  本発明は、車両シートに取り付けることができる少なくとも１つの第１のシート要素（１１ａ）およびベース（１０）を備え、前記ベース（１０）は台座要素（１３）および回転要素（１４）を有するチャイルドシート装置に関する。少なくとも前記回転要素（１４）は、第１のシート要素（１１ａ）を締結するための少なくとも１つの締結装置（１８ａ〜１８ｄ）を有する。前記回転要素（１４）は、前記シート要素（１１ａ）の方位を変更するために、前記シート要素（１１）とともに前記台座要素（１３）に対して回転させることができるような方法で前記台座要素（１３）上に回転可能に配置されていて、前記シート要素（１１ａ）は前記ベース（１０）から取り外し可能である。【選択図】図１
2020533232.tif 000002
【特許請求の範囲】
【請求項１】
車両シートに取り付けることができる少なくとも１つの第１のシート要素（１１ａ）および１つのベース（１０）を備えるチャイルドシート装置であって、
前記ベース（１０）は回転要素（１３）および台座要素（１４）を有し、少なくとも前記回転要素（１４）は、前記第１のシート要素（１１ａ）を締結するための少なくとも１つの締結装置（１８ａ〜１８ｄ）を有し、
前記回転要素（１４）は、前記シート要素（１１ａ）の方位を変更するために、前記シート要素（１１）とともに前記台座要素（１３）に対して回転させることができるような方法で前記台座要素（１３）上に回転可能に配置されており、
前記シート要素（１１ａ）を前記ベース（１０）から取り外すことができるチャイルドシート装置。
【請求項２】
車両シートに取り付けることができる少なくとも１つの第１のシート要素（１１ａ）、１つの第２のシート要素（１１ｂ）および１つのベース（１０）を具備し、
前記少なくとも第１のシート要素（１１ａ）は、前記ベース（１０）または前記ベース（１０）の前記台座要素（１３）のうちの１つに対して、第１の方位から、前記第１の方位から外れる第２の方位に回転することができ、
前記ベース（１０）に対する前記第２の前記シート要素（１１ｂ）の対応する回転は、阻止されるかまたは前記第１のシート要素（１１ａ）の前記回転と比べて少なくとも制限されることを特徴とする特に請求項１に記載のチャイルドシート装置。
【請求項３】
車両シートに取り付けることができる少なくとも１つの第１のシート要素（１１ａ）、１つの第２のシート要素および１つのベースを具備し、
前記第１および／または前記第２のシート要素（１０）は、前記ベース（１０）または前記ベース（１０）の前記台座要素（１３）のうちの１つに対して調整することができ、特に前記第１の方位から、前記第１の方位から外れる前記第２の方位に回転することができ、
前記第２のシート要素（１１ｂ）が前記ベース（１０）に取り付けられている場合に利用可能であるが、前記第１のシート要素（１１ｂ）が前記ベース（１０）に取り付けられている場合には利用できない設定、特に前記回転を解除および／またはロックするためのロック装置（１８ａ，１８ｂ）用の手動操作装置（１９）、
および／または、
前記設定、特に前記回転を解除および／またはロックするための前記ロック装置（１８ａ、１８ｂ）のうちの少なくとも１つが設けられており、
前記ロック装置（１８ａ，１８ｂ）のうちの少なくとも１つは、前記第１のシート要素（１１ａ）によって、特に前記第１のシート要素（１１ａ）の傾斜を変更することによって操作することができるが、前記第２のシート要素（１１ｂ）によって、特に前記第２のシート要素（１１ｂ）の傾斜を変更することによっては操作できず、その傾斜に関して変更することが潜在的にできないことを特徴とする特に先行する請求項のいずれか１項に記載のチャイルドシート装置。
【請求項４】
車両シートに取り付け可能な少なくとも１つの第１のシート要素および１つのベース（１０）を有し、
前記ベース（１０）は、前記第１のシート要素が前記ベース（１０）上にある場合に、前記ベース（１０）は前記第１のシート要素を支持および／または安定化するための支持および／または安定化装置、特に支持および／または安定化フィン（１５）を有することを特徴とする特に先行する請求項のいずれか１項に記載のチャイルドシート装置。
【請求項５】
一方では、少なくとも２つの異なるシート要素（１１ａ、１１ｂ）、特にベビーシートを、好ましくは第２のシート要素（１１ｂ）として、
他方では、グループＩ、ＩＩ、および／またはＩＩＩシート要素を、好ましくは第１のシート要素（１１ａ）として、前記ベースに取り付けることができることを特徴とする先行する請求項のいずれか１項に記載のチャイルドシート装置。
【請求項６】
前記ベース（１０）、特に前記台座要素（１３）は、車両シート上の前記ベース（１０）、および／または支持脚（１８）および／または少なくとも１つの反跳ね返り装置、好ましくは反跳ね返りフィンおよび／または反跳ね返りストラップおよび／または前記ベース（１０）に解除可能に固定するために、少なくとも１つのアンカー装置、特に少なくとも１つのアンカーアームおよび／またはアイソフィックスアンカー装置および／またはラッチ式アンカー装置を有し、
特に前記台座要素（１３）および／または前記回転要素（１４）は、特定の配置形状構造、特に前記ベース（１０）に対する前記シート要素（１１ａ，１１ｂ）の方位および／または前記台座要素（１３）に対する前記回転要素（１４）の方位を示すための少なくとも１つのベルト案内装置および／または１つの表示装置を有することを特徴とする先行する請求項のいずれか１項に記載のチャイルドシート装置。
【請求項７】
前記ベース（１０）、特に前記回転要素（１４）は、シート要素または少なくとも２つの締結装置を締結するための少なくとも１つの締結装置（１８ａ〜１８ｄ）を有し、
任意に、前記シート要素のうちの１つの第１のシート要素を締結するための第１の締結装置が設計され、前記シート要素のうちの１つの第２のシート要素を締結するための第２の締結装置が設計されている先行する請求項のいずれか１項に記載のチャイルドシート装置。
【請求項８】
前記第１および／または第２のシート要素は、特にロック装置の操作によってのみロックの解除が可能であるような方法で、少なくとも２つまたは正確に２つの異なる方位に、または少なくとも４つまたは正確に４つの異なる方位にロックすることができる回転要素（１４）を場合によっては含み、
および／または、
特に前記第１または第２のシート要素の回転によって、前記設定を排他的に取り消すか又はただ１つのみを取り消すことができるような方法で、少なくとも２つまたは正確に２つの異なる方位に設定することができる回転要素（１４）を場合によっては含むことを特徴とする先行する請求項のいずれか１項に記載のチャイルドシート装置。
【請求項９】
前記シート要素および／または前記回転要素の方位のロックを解除および／または生成するための少なくとも１つの第１のおよび／または少なくとも１つの第２のロック装置が設けられ、
前記第１および／または第２のロック装置は、前記ベース（１０）の上側、特に取り付け状態で前記シート要素のうちの１つの前記第１および／または第２のシート要素に覆い隠される領域に配置され、好ましくはそれぞれの上側から突出し、
および／または、好ましくは前記手動操作装置のうちの１つによって、特に手動スライド装置、けん引装置、圧力装置および／または回転装置によって手動で操作することができ、
および／または、前記第１のシート要素および／または前記第２のシート要素の傾斜を調整することによって、特に前記第１のシート要素の傾斜を調整することのみによって操作することができ、
および／または、ロックを解除および／または生成するために回転可能および／または並進移動可能であり、
および／または、ロック状態の前記向きにばね装置によってプレストレスを付与され、
前記ロックの前記ロックの解除は、好ましくは前記第１のロック装置および前記第２のロック装置の両方ともを操作することによって実行することができ、
前記ロック装置および／または前記操作装置は、それらになお結合され、さらに好ましくはそれらに対応して結合され、
および／または、前記第１のロック装置および前記第２のロック装置は、互いに対して鏡面対称であるように配置または設計されていることを特徴とする先行する請求項のいずれか１項に記載のチャイルドシート装置。
【請求項１０】
前記シート要素および／または前記回転要素（１４）の方位のロックを解除および／または生成するための少なくとも１つのロック装置および／または少なくとも１つの第１の操作装置、特に前記手動操作装置のうちの１つの第１の手動操作装置は、前記ベース（１０）、特に前記台座要素（１３）および／または前記回転要素（１４）の第１の側方領域に配置され、
任意に、対応する第２の操作装置が、前記ベース（１０）、特に前記台座要素（１３）および／または前記回転要素（１４）の第１の領域と向き合う反対側に位置する第２の側方領域に配置される、
ことを特徴とする先行する請求項のいずれか１項に記載のチャイルドシート装置。
【請求項１１】
第５および／または第６のロック装置が設けられ、
および／または、
前記シート要素のヘッドレスト（１３）は、異なる配置形状構造において、特にヘッドレスト（１３）の高さに関連して前記第１の方位に調整することができ、
好ましくは、前記第５のロック装置（１９，４０）は、前記第１の方位で可能であれば前記配置形状構造の一部において設けられ、シート要素（１０）が前記第１の方位から前記第２の方位に回転可能になるのを阻止するように配置および設計され、
および／または、
好ましくは、前記第６のロック装置（１９，２７）が設けられ、前記第１の方位で可能であれば前記配置形状構造の一部が前記第２の方位で調整可能になるのを阻止するように配置および設計されることを特徴とする先行する請求項のいずれか１項に記載のチャイルドシート装置。
【請求項１２】
前記第１の方位は、前記シート要素（１１ａ，１１ｂ）が後方を向く場合の前記シート要素の配置形状構造に対応し、および／または、前記第２の方位は、前記チャイルドシートの配置形状構造に対応しており、
前記シート要素（１１ａ，１１ｂ）が前方を向く、および／または、前記シート要素を第３の方位に回転させることができ、
前記第３の方位は、好ましくは前記第１の方位と前記第２の方位との間にあり、特に前記第１の方位および／または前記第２の方位に対して９０°回転されるところにあることを特徴とする先行する請求項のいずれか１項に記載のチャイルドシート装置。
【発明の詳細な説明】
【技術分野】
【０００１】
本発明は、自動車シートに取り付けることができるシート要素およびベースを備えるチャイルドシート装置に関する。
【背景技術】
【０００２】
シート要素を種々異なる方位（特に前向き方位または後向き方位）に設定できるように、ベースに対して回転させることができるチャイルドシート装置は、ドイツ登録実用新案２０２０１６１０４１８１Ｕ１号公報から公知である。この従来技術によるチャイルドシート装置は、その融通性（フレキシビリティ）の点で改善が必要であるとみなされている。
【発明の概要】
【０００３】
本発明の目的は、その用途において比較的融通性があり、特に、可能な限り最も信頼性が高くかつ安全な方法でシート要素の方位の変更を可能にするチャイルドシート装置を提案することにある。
【０００４】
この目的は、少なくとも１つの第１のシート要素と、車両シートに取り付けることができ、台座要素および回転要素を有する１つのベースとを備える第１の態様のチャイルドシート装置によって特に達成される。少なくとも回転要素は、シート要素を締結するための少なくとも１つの締結装置を有することが好ましい。回転要素は、シート要素の方位を変更するために、（単独でおよび／またはシート要素と共に）回転要素を台座要素に対して（ある回転角まわりに）回転させることができるように、台座要素に対して回転可能に配置される（または配置されることが可能である）ことが好ましい。
【０００５】
第２の独立態様によれば、特に第１の態様と組み合わせることができるチャイルドシート装置が提案されており、これは少なくとも１つの（特に上部の）第１のシート要素、および車両シートに取り付けることができる１つの（特に上部の）ベースを有し、前記第１のシート要素は、ベースに取り付けられた状態で、ベースまたはベースの一方の（特に上部の）台座要素に対して第１の方位から、前記第１の方位から外れた第２の方位へ回転させることができ、前記シート要素は、ベースから（特にベースの上部回転要素から）取り外すことができる。
【０００６】
第１の態様の中心的なアイデアは、ベース内の対応する回転によってチャイルドシートの方位の変更を達成できるように、ベースを（台座要素と回転要素を持つ）２つの部分で構成する点にある。この場合に、シート要素は回転要素に対して静止したままであってもよい。
【０００７】
第２の態様の概略の中心的なアイデアは、シート要素がベースに対して（具体的にはその取り付け状態で）回転できるだけでなく、ベースから（完全に）取り外せる点にある。この場合には、第１のシート要素を締結するための対応する締結装置を解除できることが好ましく、それによってシート要素を回転要素から取り外し、次いでベースから取り外すことができる。
【０００８】
上記の手段により、特にチャイルドシート装置の融通性が簡易かつ安全な方法で改善される。
【０００９】
回転要素は回転板であってもよい。台座要素は、そのエッジにて回転要素を取り囲む要素であってもよい。台座要素は、回転要素が（回転可能に）収容される凹部、または回転要素が（回転可能に）収容されるフレームを特に形成することができる。
【００１０】
「方位」は、本明細書の文脈では、車両の向きまたは子供の視線に対するシート要素の向きとして理解されるべきである。前向きの方位では、子供は車両が進む方向の前方を見る。後向きの方位では、子供は（ベースが取り付けられた車両シートの）背もたれの方向を見る。方位変更用の軸は、特に、少なくとも実質的に垂直である。
【００１１】
シート要素は、第１の方位から第２の方位に回転できることが好ましい。これは、方位が変更されたときに、シート要素が原則としてベース上または台座要素上に留まる（すなわち、少なくともこの場合は、シート要素がベースまたは台座要素と接触する）ことを特に意味する。この種の回転は、（ベースまたは台座要素に対するシート要素の）同時の並進運動無しで特に可能になる。回転を行うためにベースまたは台座要素からシートを取り外すことは、（まったく）必要ではない。
【００１２】
特に、ねじれ（または回転）により、第１の方位と第２の方位との間において中間位置を採用することができる。このため、場合によっては角度をもつ領域を連続的に通過させることができる。方位の変更（すなわち、少なくとも実質的に垂直軸まわりの回転）に加えて、場合によっては（同様に、ある意味において回転に対応するが、「傾斜」または「傾斜の変化」が続いてこの動きに利用される）シート要素の傾斜を調整することができる。方位変更用の軸は、傾斜（または傾倒）用の軸と同じではない。この方位変更用の軸は、特に（少なくとも実質的に）垂直である。傾斜（すなわち傾倒）用の軸は、少なくとも実質的に（シート要素の取り付け位置において）水平軸である。このため、傾斜は、シートの傾斜位置または傾倒に関連して、例えば、シート要素を休憩位置（横たわり位置）から着座位置（あるいはその逆に着座位置から休憩位置）に変換する。
【００１３】
本発明の第３の独立態様（ただし、特に上記の第１および／または第２の態様と組み合わせることができる）によれば、（車両シートに取り付けできる）少なくとも１つの第１のシート要素、１つの第２のシート要素、および１つのベースを備えるチャイルドシート装置が提案される。この第３の態様のチャイルドシート装置では、少なくとも第１のシート要素（特にベースに取り付けられた状態）をベースまたは（特に上部の）台座要素に対して第１の方位から、前記第１の方位から外れた第２の方位へ回転することができ、ベースに対する第２のシート要素の対応する回転（すなわち、特にベースに取り付けられた状態での、ベースまたは１つの／前記ベースの台座要素に対する第１の方位から、前記第１の方位から外れた第２の方位への回転）は阻止されるか、または第１のシート要素の回転と比べて少なくとも制限される。
【００１４】
第３の態様のチャイルドシート装置は、チャイルドシート装置の使用者のために融通性を改善しているが、同時に安全面を損なうことがない。特に、第２のシート要素の回転を制限することにより、後者（安全面）が望ましくない方法で（例えば、比較的小さな幼児や赤ちゃん用のシート要素の場合に前向きの方位）で用いられることを防ぐことができる。第２のシート要素の回転を阻止するということは、この第２のシート要素をベースに対して１つの（単一の）方位にのみ取り付けることができるということを意味するものと理解されるべきである。（第１のシート要素との比較において）回転を制限することは、第２のシート要素をベースに対して種々の方位（例えば、後向きの方位およびその少なくとも約９０°の角度の方位）に取り付けることはできるが、すべての方位に取り付けることまではできないということである。また、このすべての方位に取り付けることは第１のシート要素では可能である（例えば、第１のシート要素は後向きの方位と前向きの方位に、および場合によってはそれに直交する向きの方位に構成することができる）ということである。このため、具体的な実施形態では、第１のシート要素は、例えば前向きおよび後向きの両方の方位に取り付けることができるが、第２のシート要素のほうは少なくとも前向きの方位では取り付けることができない。
【００１５】
本発明の第４の態様（特に第１および／または第２および／または第３の態様と組み合わせることができる）によれば、車両シートに取り付け可能な少なくとも１つの第１のシート要素、１つの第２のシート要素およびベースを備えるチャイルドシート装置が提案される。この第４の態様のチャイルドシート装置では、（特にベースに取り付けられた状態の）第１および／または第２のシート要素は、ベースまたはベースの１つの（特に上部の）台座要素に対して調整することができ、好ましくは第１の方位から前記第１の方位から外れる第２の方位に回転させることができる。この第４の態様の第１の下位態様によれば、設定、特に回転を解除および／またはロックするためのロック装置用の手動操作装置が設けられ、手動操作装置は、第２のシート要素がベースに取り付けられる場合に利用可能であるが、第１のシート要素がベースに取り付けられている場合には利用できないかまたは少なくとも困難を伴う場合にのみ利用可能である。
【００１６】
第４の態様の第１の下位態様によれば、特に二者択一的に安全性の面が無視されることなく、融通性のあるチャイルドシート装置が達成される。特に、一方では純粋にベースの配置形状構造の結果として、他方では第１および第２のシート要素の配置形状構造の結果として、手動操作装置はいずれか一方にアクセス可能であるかまたはアクセス可能ではない。チャイルドシート装置が比較的融通性があるにもかかわらず、（ベース上に配置できる複数のシート要素のために）本発明装置では特有の安全性の向上を達成することができる。
【００１７】
第４の態様の第２の下位態様によれば、好ましくは第１の下位態様と組み合わせることができ、設定、特に回転を解除および／またはロックするための１つの（特に上部の）ロック装置が提案される。このロック装置は、第１のシート要素によって（特に第１のシート要素の傾斜を変更することによって）操作できるが、第２のシート要素によるものではなく（特に第２のシート要素の傾斜の変更によるものではなく）、その傾斜に関して潜在的に変えることができない。特に、「傾斜」はベースに対する傾きとして、この文脈では理解されるべきである。
【００１８】
第４の態様の文脈において、第１または第２のシート要素の「設定」は、特に、ベースに対するその配置形状構造の変更（すなわち、特に、方位、場合によってはヘッドレストおよび／または背もたれの調整）として理解されるべきである。
【００１９】
また、第４の態様の第２の下位態様は、特に高い安全性の要求を満たしつつ融通性のあるチャイルドシート装置の提供を可能にする。
【００２０】
全体として、上記の態様（すなわち、第１から第４の態様まで）は、特に、シート要素を収容するためのベースが、シート要素をベースから解除できるようにするのに適したチャイルドシート装置を提案する。さらに（特に第３および第４の態様によれば）、２つまたは複数の異なるシート要素を（同時にではなく）収容するように構成されたベースが設けられ、前記ベースはそれぞれ収容されたシートの解除を可能にするのに適している。ベースにより収容することができる少なくとも１つおよび場合によっては複数のシート要素をその上で回転させることができるベースがさらに提案される。
【００２１】
台座要素は、特に、（車両シート上の）ベースが取り付けられた状態で車両シートと接触するベースの一部（または部品または部分）として理解されるべきである。これに対して、回転要素は（ベースが取り付けられた状態で）車両シートと接触していないことが好ましい。（但し、接触が少なくとも完全に排除される必要はない）取り付けられた状態では、（それぞれの）シート要素は回転要素と接触していることが好ましい。さらに、（それぞれの）シート要素は、（部分的に）台座要素の上に載置することもできる。
【００２２】
ベースに対して取り外し可能な（着脱可能な）シート要素は、（取り外し後に）シート要素とベースとの間に隙間（ギャップ）があるために、ベースから完全に取り外すことができるシート要素として理解されるべきである。
【００２３】
回転要素は、ベース全体の少なくとも１０重量％を占めることができる。代替的または追加的に、台座要素は、ベース総重量に対して少なくとも１０重量％を占めることができる。回転要素は、ベース全体の幅の少なくとも５０％および／または長さの少なくとも３０％にわたって延び出すことができる。台座要素は、ベース要素の幅または総幅（または総幅を画定する）の少なくとも９０％および／または長さの少なくとも９０％にわたり、好ましくは総長さ（すなわち、ベース要素の長さ）を画定して延び出すことができる。幅は、ベースの方位または子供の視線に直交する水平方向の延長線として理解されるべきである。長さは、子供の視線またはベースの方位に平行な水平方向の延長として理解されるべきである。原則として、幅は最大幅として理解することができ、長さは最大長として理解することができる。
【００２４】
回転要素は、（丸い、特に円形の）回転プレートまたは回転ディスクとして構成することができる。
【００２５】
チャイルドシート装置は、少なくとも２つの異なるシート要素、特にそれぞれ単独でベースに取り付けることができる（そしてベースから取り外すことができる）第１の上部シート要素および第２の上部シート要素を備えることができる。シート要素は、シートに着座すべき子供の許容最大サイズおよび／または最小サイズの点で特に異なる。第２のシート要素の最大および／または許容最小サイズは、第２のシート要素の最大または最小サイズのいずれかと同じ程度の大きさの１．２倍であることが好ましく、１．５倍の大きさであることが好ましい。最大サイズと最小サイズは、全てのチャイルドシート（または全てのシート要素）のための（本出願時の版または本出願の最先の優先日の版の）国連欧州経済委員会規則１２９に準拠して規定されている。
【００２６】
グループ０／０＋（１３ｋｇ未満の重量、特に車両の移動中において進行方向とは反対向きの方向にのみ使用）および／またはクラスＩ（重量９〜１８ｋｇ）のベビーシートまたはチャイルドシートが、シート要素の１つ、特に第２のシート要素として存在することができる。さらに第１のシート要素としてクラスＩ（重量９〜１８ｋｇ）および／またはクラスＩＩ（重量１５〜２５ｋｇ）および／またはクラスＩＩＩ（重量２２〜３６ｋｇ）のチャイルドシートを特に設けることができる。ここでの重量は、子供の体重を指している。ここで、クラスに関連する「および／または」の接続は、（例えば、サイズ調整可能なチャイルドシートの場合に）関連するチャイルドシートを一方のクラスのみに、または他方のクラスのみに、または両方のクラスに割り当てることができることを意味している。クラスは、特に（本出願時の版または本出願の最先の優先日の版の）欧州経済委員会規則４４；６．１．３または同等の規則に従って決定する必要がある。
【００２７】
一般に、第２のシート要素は、第１のシート要素よりも小さな子供（特に赤ちゃん）用に構成されることが好ましい。これは、例えば、第２のシート要素が第１のシート要素よりも低い高さ（最大高さ）（および／またはより軽い重量）、すなわち垂直方向の伸長を有するという事実に見ることができる。例として、第１のシート要素の高さは、第２の子供シート要素の高さの１．５倍とすることができる。さらに、第１のシート要素の重量は、第２のシート要素の重量の少なくとも１．５倍に達することができる。
【００２８】
ベース、特に台座要素は、少なくとも１つのアンカー装置を含むことができ、アンカー装置を介してベース（台座要素）を車両の本体に（堅く）固定することができる。アイソフィックスは、（本出願時または本出願の最先の優先日に有効な）ＩＳＯ標準規格１３２１６に関連するものである。アンカー装置は、少なくとも１つまたは少なくとも（または正確に）２つの固定アームを備えることができる。必要に応じて、それらの長さを調整することができる。アンカー装置は、アイソフィックスアンカー装置として設計することができる。さらに、アンカー装置は、ラッチ方式のアンカー装置として設計することができる。ラッチ方式（ラッチは「子供用の下部アンカーと繋ぎなわ」を表わす）は、特に米国では一般的な方式である。シート要素は、特に（張力をかけた）ベルトストラップ（ソフト−アイソフィックス）により固定具に接続することができる。
【００２９】
ベース、特に台座要素は、（特に台座要素の一体部品として）支持脚を持つことができる。
【００３０】
ベース、特に台座要素および／または回転要素は、シート要素の特定の配置形状構造（コンフィギュレーション）を表示するためのインジケータ装置を有することができる。この配置形状構造は、ベースに対するシート要素の方位、および／または台座要素に対する回転要素の方位、および／またはベースの（正しい）締結および／または場合によって利用可能な支持脚の（正しい）設定を含む。
【００３１】
ベース、特に台座要素および／または回転要素は、反リバウンド装置、特に反リバウンドバー（または反リバウンド突起）を含むことができる。反リバウンド装置は、特に、シート要素の跳ね返りを少なくとも部分的に吸収（軽減）する装置として理解されるべきである。例えば、車両が急激に減速した場合、それによってシート要素が車両に対して前方に加速され、保持装置で保持されているためにその後の時点で再び（車両に対して）後方に移動する（または跳ね返る）場合に、跳ね返りが発生する。
【００３２】
ベース、特に回転要素は、シート要素を締結するための少なくとも１つの締結装置または（そのような締結用の）少なくとも２つ以上の締結装置を有することができる。第１の締結装置は、場合によっては１つの（特に１つのみの）第１のシート要素を締結するように設計することができる。第２の締結装置は、場合によっては１つの（特に１つのみの）第２のシート要素を締結するように設計することができる。その結果、各種のシート要素をフレキシブルかつ可変的に使用することができる。また、この態様は、本発明の独立した態様として任意に開示および請求されている。
【００３３】
少なくとも１つの締結装置は、２つ以上の（異なる）シート要素を締結するように構成することができる。複数の締結装置は、１つのシート要素の締結用と少なくとももう１つの他のシート要素の締結用との両方に用いられるように構成することができる。
【００３４】
ベース（特に回転要素）は、ベース上の安全性を高めてシート要素を締結するため、および／または他のシート要素（シートの第２グループ）を締結するために、第１の締結装置とともに、場合によってはさらなる（第２および／または第３の）締結装置または複数のさらなる締結装置を有するようにすることもできる。
【００３５】
（それぞれの）締結装置は、特にシート要素の（ベースに）取り付けられた１つまたは複数のバーを取り囲んで係合する１つまたは複数のロック要素、例えば１つまたは複数のフックを有することができる。
【００３６】
第１のシート要素および／または第２のシート要素は、場合によっては回転要素を含み、特にロック装置を操作することによってのみロックを解除できるような方法で、少なくとも（または正確に）２つの異なる方位に、または少なくとも４つ（または正確に４つ）の異なる方位にロックすることができ、前記ロック装置は、特にベースに対して（締結されている場合に）移動可能（特に、並進移動および／または回転可能）であり、および／または、シート要素および／または回転要素に締結される場合、シート要素および／または回転要素に対して移動可能（特に、並進移動および／または回転可能）である。２つの異なる方位は、特に前向きの方位および後向きの方位である。任意の第３の方位または第４の方位は、（角度のある角度に）延び出す方位、特に正確に、前向きの方位と後向きの方位との間に延び出す方位、すなわち特にそれに対して９０°の角度で延び出す方位とすることができる。
【００３７】
代替的にまたは追加的に、第１のシート要素および／または第２のシート要素は、場合によっては回転要素を含み、特に第１または第２のシート要素および／または回転要素の回転によって設定を（排他的に）キャンセルできるような方法で、少なくとも２つの異なる方位に設定することができる。この／これらの方位は、好ましくは（角度のある角度に）、特に正確に前向きの方位と後ろ向きの方位との間に、すなわち特にそれに対して９０°の角度に配置される。
【００３８】
一般に、設定は、配列された要素（ベース、特に台座および／または回転要素、またはシート要素）にしっかりと接続されていることが好ましいインターロック装置（要素）によって実行されるべきである。設定は、特に、突起と対応する凹部／開口部との組み合わせによって行うことができ、突起はベース、特に台座要素、およびシート要素または回転要素の凹部（またはその逆）に設けることができる。（前向きの方位と後向きの方位との間の角度ではあるが、正確には前向きの方位または後向きの方位を含まない）中間の向きは、この点で、特に前向きの方位または後向きの方位に対して９０°の角度、特に横方向の両側に設定できることが好ましい。
【００３９】
設定は、特にソフトロックによって行うことができる。
【００４０】
好ましくは、シート要素および／または回転要素の方位のロックを解除および／または生成するための、少なくとも１つの第１のロック装置および／または少なくとも１つの第２のロック装置が提供される。
【００４１】
第１のロック装置および／または第２のロック装置は、ベース、特にベースの上側、および／またはシート要素、特にシート要素の下側、および／または回転要素、特に回転要素の下側に配置されることが好ましい。
【００４２】
第１のロック装置および／または第２のロック装置は、好ましくはそれぞれの上側または下側から突出する、取り付けられた状態の第１および／または１つの／第２のシート要素によって覆われる領域に配置することができる。
【００４３】
ロック装置は、特に回転要素を含むシート要素が台座要素に対して（回転的に）ロックされる第１の状態と、回転が可能になる第２の状態とをとることができるのが好ましい。（それぞれの）ロック装置は、例えば、（場合によっては台座要素およびシート要素または回転要素の両方に対する）回転および／または並進によって、特に（第１の状態で占有できる）第１の位置と（第２の状態で占有できる）第２の位置との間で移動することができる。
【００４４】
１つまたは複数の（または全ての）ロック装置は、（少なくとも第２の状態では）上方に（例えば、開口、特にスロットを介して）突出しているので、（それらが第１の状態から第２の状態に移行するように）ベース要素または台座要素に対してベースに締結されたシート要素の外面から（場合によっては更にまたは完全に）移動および／または回転するのに特に適している。
【００４５】
少なくとも１つの、複数の、またはすべてのロック装置は、例えばバネによって、それらの第１の位置の方向にプレストレスを付与することができる。
【００４６】
具体的な実施形態において、少なくとも１つ、複数、またはすべてのロック装置は、（特にレバーアームの遠位）端部を有することができ、これらの端部はベースの座面（回転面）（特に、回転要素の対応する座面／回転面）の下方のいくつかの位置（特に、第１および第２の上部位置）にある。第１の位置において、対応するロック装置は、ベースの台座要素の対向構造（例えば、凹部、開口部、穴など）と係合することができるので、回転を阻止（ロック）することができるが、（対応するロック装置の）第２の位置では対向構造から遠ざかるので、回転が可能になる。
【００４７】
ベースは、少なくとも２つの異なる状態にある少なくとも１つのシート要素、例えば、前記シート要素の外面（例えば、下面および／または背面）が割り当てられたロック装置を押し付けない特にロック状態にある少なくとも１つのシート要素、および、例えば、前記シート要素の外面が割り当てられたロック装置（特に、場合によっては近位端、例えば、更なるレバーアームの近位端）を押し、該ロック装置をその第２の位置に移動させる回転状態にある少なくとも１つのシート要素、をそれぞれ収容するのに適合していることが好ましい。
【００４８】
具体的な実施形態では、ロックの解除および／または生成は、第１および／または第２のシート要素の配置形状構造、特に傾斜を調整することにより、特に第１のシート要素の配置形状構造、好ましくは第１のシート要素の傾斜を調整することにより操作可能にすることができる。（対応する）シート要素は、（場合によってはロックできなくなる可能性があるため、特に永続的な使用を目的としておらず、最高使用位置よりも上方に置くことができる）最高の直立状態の位置に移動できることが好ましく、この場合に、回転阻止が引き起こされ、（場合によっては回転要素とともに）前記シート要素がそれに応じて回転することができる。いったん傾斜位置が（場合によっては重量力および／またはプレストレス装置、特にばね装置によってもたらされる）使用位置に再びなった場合には、回転が再び阻止される。
【００４９】
１つまたは複数のロック装置またはすべてのロック装置は、好ましくは手動操作装置により、特にスライド装置、牽引装置および／または回転アクチュエータにより手動で操作可能である。このような手動操作は、シート要素の配置形状構造（傾斜）の調整による操作と同様に、同じロック装置に作用することができる。代わりに、第１のロック装置（またはロック装置の第１のグループ）は、シート要素、特に第１のシート要素の配置形状構造（傾斜）を調整することにより操作でき、第２のロック装置（またはロック装置の第２のグループ）は手動操作により操作できる（場合によっては、特にそれによって排他的に操作することができる）各種各様のロック装置を提供することもできる。
【００５０】
一般に、ロックを解除および／または生成するために、１つの、複数の、またはすべてのロック装置を回転可能および／または並進移動可能にすることができる。
【００５１】
第１および第２のロック装置は、場合によっては互いに鏡面対称になるように配置または設計することができる。
【００５２】
特に第１のロック装置の操作が第２のロック装置の状態（またはその操作）の変化をも（自動的に）もたらすという意味で、二つ以上のロック装置を互いに結合することができる。
【００５３】
対応するカップリング結合は、例えばカップリングバー（特に回転カップリングまたはトルクカップリング）によって実行することができる。
【００５４】
シート要素および／または回転要素の方位のロックを解除および／または生成するための第１の操作装置、特に（第１の）手動操作装置は、ベースの第１の側面領域に、特に台座および／または回転要素の第１の側面領域に配置されることが好ましい。任意に、第２の（対応する）操作装置は、ベース、特に台座および／または回転要素の第１の領域の反対側に位置する第２の側面領域に配置される。ベースの側面領域は、各要素または各装置の横方向に最も遠くに突き出ている点から、最も遠くに突き出ている反対側の点までの距離の最大２０％まで、好ましくは１０％以下までの領域として理解されるべきである。特に、側面領域は、第１の（より大きな）シート要素で覆い隠され、第２の（より小さな）シート要素では露出されたままとして画定することができる。
【００５５】
代替的に、または追加的に、シート要素および／または回転要素の方位のロックを解除および／または生成するための少なくとも１つの（特に少なくとも第３の）ロック装置をベース、特に、台座および／または回転要素の第１の側面領域に配置することができ、および、任意に対応する第４のロック装置をベース、特に台座および／または回転要素の第１の領域の反対側に位置する第２の側面領域に配置することができる。
【００５６】
１つまたは複数のまたはすべてのロック要素の横方向の配置、特に１つの、複数のまたはすべての操作装置の横方向の配置は、簡単な方法で、チャイルドシート（但し、大きなシート要素の場合は除く）より小さい（狭い）場合に対応するロック装置および／または操作装置にアクセスできるようにすることができる。
【００５７】
一般に、１つまたは複数のまたはすべてのロック装置（特に少なくとも１つの第１および／または第２および／または第３および／または第４のロック装置）は、例えばアクチュエータ（例えば、ボタン、スライド、および／またはスイッチ）によって手動で操作可能にすることができ、この場合、好ましくは、そのために二重の操作行為（ダブルアクション）が必要になるか、または操作装置（アクチュエータ）をそれに応じて構成することができる。二重の操作行為は、（不注意による操作をより困難にするために）２つの操作行為を同時にまたは連続して実行することと特に理解されるべきである。
【００５８】
１つまたは複数のまたは全てのロック装置（特に第３および第４のロック装置）用の（それぞれの）手動操作装置、例えば上記アクチュエータは、シート要素をベース上に固定するときに、または車両の進行方向に対して横方向を向くときに、すなわち車両のシートに隣接するドアのほうを向くときに位置させる回転要素の位置に配置できることが好ましい。
【００５９】
少なくとも１つのまたは複数のまたはすべてのロック装置（さらに好ましくは少なくとも１つの第３のロック装置および少なくとも１つの第４のロック装置）は、互いに接続されることが好ましく、これによりロック装置の１つをその第１の位置から第２の位置内まで両方の（すべての）ロック装置が移動される。具体的には、ロック装置はバーで連結（または結合）することができる。
【００６０】
少なくとも１つの第１の（または少なくとも１つの第１のグループの）ロック装置は、１つの第１のシート要素と協働するように（特に排他的に協働するように）構成することができる。少なくとも１つの第２の（または１つの第２のグループの）ロック装置は、１つの第２のシート要素と協働するように（特に排他的に協働するように）構成することができる。
【００６１】
実施形態において、少なくとも１つの第５および／または第６のロック装置を設けることができる。好ましくは、第５のロック装置は、第１の方位で可能なシート要素のヘッドレストの配置形状構造の一部において、シート要素が第１の方位から第２の方位に回転できないように設計される。代替的にまたは追加的に、第６のロック装置は、第１の方位で可能な配置形状構造の一部が第２の方位で調整可能になるのを防止するように設計することができる。
【００６２】
一般に、特にヘッドレストの高さに関する種々異なる配置形状構造は、シート要素のヘッドレストが第１の方位にある場合に調整することができる。これに関して、上述の配置形状構造は、特にヘッドレストの配置形状構造、特にヘッドレストの高さである
第５および／または第６のロック装置は、さらに上述のロック装置（特に第１から第４までのロック装置）から独立していることが好ましい。第５および／または第６のロック装置は、（特にブロック装置と呼ばれる）ドイツ登録実用新案２０２０１６１０４１８１Ｕ１号公報のように特に設計することができる。第５および／または第６のロック装置は、ドイツ登録実用新案２０２０１６１０４１８１Ｕ１号公報に記載されているように、ヘッドレストだけでなく、例えばこの目的のために設けられたアクチュエータなどの他の機構によっても制御することができる。ドイツ登録実用新案２０２０１６１０５１８１Ｕ１号公報とは対照的に、ベースをその上に固定できるシート要素から分離することができる場合に、回転を阻止するための手段をベースに設けることができる。制御の移送（トランスファー）は、ドイツ登録実用新案２０２０１６１０４１８Ｕ１号公報に記載されている制御と同様の方法で実行することができ、対応する制御手段（バーなど）は、ベースの台座要素を介して係合するか、そこに配置できる。
【００６３】
第２のシート要素は、対応するロック装置が移動するための適切な構造（外面）を持たず、少なくとも１つの第１のロック装置および／または少なくとも１つの第２のロック装置が移動するための適切な構造を持たないように構成できる。
【００６４】
一方の第１と第３のロック装置および／または他方の第２と第４のロック装置を同じものとすることができ、それによって（第１のシート要素を備えた）それらのロック装置がシート要素それ自体と（第２のシート要素を備えた）手動操作装置（例えば、アクチュエータ）とにより両方ともが作動可能になる。第１のシート要素は、（場合によってはどの方位にも）操作が不可能であるかまたは（著しく）妨げられるように、手動操作装置、例えばアクチュエータを完全にまたは部分的に覆い隠すことができる。
【００６５】
第１の方位は、特にチャイルドシートの配置形状構造に対応しており、それではシート要素が後方を向いている。第２の方位は、特にチャイルドシートの配置形状構造に対応しており、それではシート要素が前方を向いている。
【００６６】
チャイルドシートは、第３の方位に回転させることができる。この第３の方位は、好ましくは第１の方位と第２の方位との間にあり、特に第１の方位および／または第２の方位に対して９０°回転させている。
【００６７】
本発明の第５の独立した態様（但し、１つまたは複数の上述の態様、特に第１および／または第２および／または第３および／または第４の態様と組み合わせることができる）によれば、車両シートに取り付けることができる少なくとも１つの（第１の）シート要素と１つのベースとを備えるチャイルドシート装置であって、前記ベースは、シート要素がベース上にある場合、シート要素を支持および／または安定化するための支持および／または安定化要素、特に支持および／または安定化フィンを有するチャイルドシート装置が提案される。
【００６８】
第５の態様の中心的なアイデアは、シート要素の持ち運び（支持）構造の一部に相当する支持および／または安定化要素、特に、請求された対応するフィンにある。
【００６９】
この目的のために、支持および／または安定化要素は、好ましくはベースから、特にベースの回転要素から、例えば少なくとも１０ｃｍ、好ましくは少なくとも２０ｃｍ上方に突出することが好ましい。取り付けられた状態では、シート要素は支持および／または安定化要素に当接する。支持および／または安定化要素、特にフィンは、（進行方向に関して）前端部（具体的な実施形態では、支持足も取り付けられる端部）に配置することができる。シート要素固定用の締結装置をフィンに隣接してまたはそこに一体化されたフィンに（直接）設置することができ、これにより支持および／または安定化要素（フィン）がシート要素の後壁に当接するか、またはその中に挿入され、その結果として支持または安定化効果を発揮できる。
【００７０】
支持体および／または安定化要素（特にフィン）は、別の材料（例えばプラスチック）で取り囲まれる可能性のある、特に金属製の補強インサートを有することが好ましい。補強インサートは、弓形状または（少なくとも実質的に）板形状であり、場合によっては全体的な支持および／または安定化要素（特にフィン）の形状に対応するか、少なくともそれを折り曲げ返すことができる。支持および／または安定化要素（フィン）は、上向きに先細りの形状を有することが好ましい。支持および／または安定化要素（フィン）は、全体的に丸い形状を持つことができる。さらに、支持および／または安定化要素は、（少なくともその下端で）ベースの幅（ベースの最大幅）の少なくとも１０％、好ましくは少なくとも２０％、さらに好ましくは少なくとも５０％にわたって延び出すことができる。支持および／または安定化要素（フィン）は、（上述のように）回転要素および台座要素を有するベース上に設けられることが好ましい。支持および／または安定化要素（フィン）は、回転要素上にあることが好ましい。これは、特に、適切なポイントでの安定化を目的として支持が発生するということを意味する。あるいは、支持および／または安定化要素（フィン）を台座要素に配置することができる。
【００７１】
さらに、支持および／または安定化要素（フィン）は、ベースに対するシート要素の設定を伝達するためのインターフェースとして使用できる。これに対する１つの可能性は、例えば、ドイツ登録実用新案２０２０１６１０４１８１Ｕ１号公報に記載されているように、座席シートの回転（または方位の変更）を確実にするかまたは阻止するための設定の移送（トランスファー）である。この場合、ドイツ登録実用新案特許２０２０１６１０４１８１Ｕ１号公報に準拠するヘッドレストの配置形状構造（特に高さ）によって制御をおこなうことができるが、この目的のために設けられた例えば（ボタン、スイッチ、スライダなどの）アクチュエータのような他の要素によっても行われる。
【００７２】
具体的な実施形態では、支持および／または安定化装置（フィン）は、上部領域に１つまたは複数の（第１の）突起および／または１つまたは複数の横方向の（第２の）突起を有することができる。第１の突出部または第１の突出部および第２の突出部または第２の突出部は、特に、それらが２つの位置の間でベースに対して（少なくとも実質的に）垂直方向に一緒に移動することができるような方法で、（特に、支持および／または安定化装置またはフィンの内部で）互いに連結することができる。この場合、第１の（上部の）位置では座席シートの（完全な）ロックがあり得るが、これに対して、第２の（下部の）位置では、シートの後向き方位において入口位置および／または出口位置（例えば９０°回転）への１回の回転のみを可能にすることができる。代わりに、回転の（完全な）阻止も可能である。
【００７３】
ベースは、前向きの方位の場合に、突起が第１の位置から第２の位置へ移動するのを阻止する手段を含むことができる。この場合、シート要素（特にベビーシートとして設計されたシート要素）は、ベースに対して潜在的に可能な（後方を向く）位置でのみ第１の突起を押すことができ、それによって回転を阻止することができる。代替的にまたは追加的に、突起を第２の位置に移動できなくし、かつシート要素（ベビーシート）をシートのロック装置と連携して協働するようにすると、そのためにシート要素（ベビーシート）が遠く（十分に）下方に移動できなくなり、その結果としてシート要素（特にベビーシート）が前向きの方位に取り付けられることを効果的に防止することができる。これに対して、さらなるシート要素（例えば、グループＩＩ／ＩＩＩシート要素）は、例えば、ヘッドレストまたはボタンなど（上記参照）が対応する位置に移動すると、適切な対応する要素によって押し下げることができる第２の突起と協働することができる。
【００７４】
シート要素の設定を移送するためのインターフェースとしてフィンを使用するさらなる可能性は、収納位置から使用位置への側面衝撃保護要素の移送（トランスファー）であると言える。トリガー機構は、回転を阻止するために記載されたとおりに、すなわち、突起によって、またはシート上の突起と協働する凹部要素によってまさに構成することができる。側面衝撃保護がどちら側に移送されるかを制御するスイッチは、支持および／または安定化装置（フィン）上に、特にシート要素が取り付けられている場合にカバーされる部品上に場合によっては存在することができる。それらはしばしばベースから取り外され、側面衝撃保護は、通常、邪魔にならないように休憩位置および／または収納位置に移送されるので、これは、小さな子供用のシート要素（特にベビーシート）の場合に特に有利である。一般に、側面衝撃保護要素の休憩位置および／または収納位置は、要素の位置として理解されるべきであり、その場合、前記要素は、使用位置よりも横方向に遠くに（またはまったく）突出しない。
【００７５】
全体として、支持および／または安定化要素（フィン）の設計は、いかなる場合であっても使用時に支持要素および／または安定化要素（フィン）によって相応に補強されるため、シート要素を比較的弱めに設計できるという理由から、シート要素（特にベビーシート）の重量を比較的小さく設計することができる。
【００７６】
上記の目的は、シート要素のベースによってさらに達成され、ベースは上記の（特に第１および／または第２および／または第３および／または第４および／または第５の態様による）特徴を有する。上記のチャイルドシート装置に関してシート要素が説明されている限り、これは、シート要素と対応して協働する（特に対応して連結される）ために、対応して構成される必要があるベースを意味することが好ましい。
【００７７】
従属請求項から更なる特徴が結果として生じる。
【００７８】
以下において、本発明は、例示的な実施形態に基づいてより詳細に説明される。これに関連して：
【図面の簡単な説明】
【００７９】
【図１】図１は、模式的に示したシート要素を有する本発明のベースを示す斜視図。
【図２】図２は、図１の第１の部分を示す図。
【図３】図３は、図１の第２の部分を示す図。
【図４】図４は、図１の第３の部分を示す図。
【図５】図５は、図１の更なる部分の一部を示す図。
【図６】図６は、内部が部分的に解放されている本発明のベースを示す斜視図。
【図７】図７は、図６の一部を拡大して詳細に示す部分拡大図。
【図８】図８は、図６の一部を拡大して詳細に示す部分拡大図。
【図９】図９は、図６の一部を拡大して詳細に示す部分拡大図または図８のベース部分を斜めから見て示す斜視図。
【図１０】図１０は、入口および／または出口位置にある本発明のベース（内部が部分的に解放されているかまたはカバーなし）を示す図。
【図１１】図１１は、図１０の一部を拡大して詳細に示す部分拡大図。
【図１２】図１２は、図１０の一部を拡大して詳細に示す部分拡大図。
【図１３】図１３は、ロック要素がダイバージェント状態にあるときの図１０と同様の本発明のベースを示す図。
【図１４】図１４は、図１３の一部を拡大して詳細に示す部分拡大図。
【図１５】図１５は、図１３の一部を拡大して詳細に示す部分拡大図。
【図１６】図１６は、図１と同様の斜視図。
【発明を実施するための形態】
【００８０】
以下の説明において、同一および類似の部品には同じ参照符号を用いる。
【００８１】
図１に、ベース１０と子供１２が座ることができるシート要素１１ａまたは１１ｂ（模式的に示されている）とを含むチャイルドシート装置の斜視図を示す。シート要素１１ａは、シート要素１１ｂよりも大きな子供用に構成されている。ベース１０は、台座要素１３と、台座要素１３に対して回転することができる回転要素１４とを有する。回転要素１４は、原則として、（以下に詳細に説明される条件に応じて）台座要素１３に対して（少なくとも実質的に垂直な回転軸まわりに）３６０°の角度で回転させることができる。ベース１０、好ましくは回転要素１４は、ベース１０、好ましくは回転要素１４から上方に突出するフィン１５を有する。フィン１５は、ベース、例えばベビーシートに取り付けることができる少なくとも１つのシート要素を適切に支持し、かつ安定化するように設計されており、それによってシート要素１１の持ち運び構造が少なくとも部分的にフィンによって提供される。このため、シート要素１１の部分で重量を軽減することができる。
【００８２】
ベース１０、特に回転要素１４は、締結装置１６ａ〜１６ｄを有する。この場合、締結装置１６ａ、１６ｂは、シート要素１１ａ／１１ｂに設けられたバーを収容することができる。また、締結装置１６ｃ、１６ｄでもシート要素１１ａ／１１ｂ上に設けられたバーを収容することができ、これによりシート要素１１ａ／１１ｂをベース１０、特に回転要素１４に取り付けることができるようになっている。この場合、ベース１０に設けられたすべてのシート要素１１ａ／１１ｂについては１つのタイプの取り付けのみが可能であることが好ましく、その場合に、子供を載せることはフィン１５から子供の目線が外れることになる。代替えとして、一方では締結装置１６ａ、１６ｂにより、他方では別の締結装置１６ｃ、１６ｄにより、約１８０°回転した取り付けが可能になる（特に、フィン１５は場合によっては省略可能である）ことも考えられる。
【００８３】
締結装置１６ｃ、１６ｄはフィン１５に直接隣接して設計されているので、シート要素１１はフィン（特にその後壁）に対応して当接することができる。あるいは、フィンをシート要素（特に後壁）に挿入して、安定化効果をもたらすこともできる。
【００８４】
フィン１５は、取り付けられている場合に、少なくとも１０ｃｍ２超え、さらに好ましくは少なくとも２０ｃｍ２を超える面積にわたってシート要素１１（例えば、ベビーシート）と接触する向きにあることが好ましい。
【００８５】
フィン１５は、少なくとも実質的に垂直に、特に垂直に対して３０°以下、さらに好ましくは２０°以下の角度に配向させることができる。方位が変動する限りにおいて、フィンの上端と下端との間を結ぶ接続線を通して生じる方位は、この場合、特に有効であるべきである。
【００８６】
フィンは、特に、同様にシート要素の（わずかに）円弧状の外壁にできるだけ良く適合させるために、（わずかに）円弧状の様式に延び出すことができる。
【００８７】
さらに、フィン１５は、側部突起１７ａ、１７ｂおよび上部突起１７ｃ、１７ｄを有する。これらの突起は、（フィン１４の内側で）互いに接続されていることが好ましいが、フィン１５に対しては移動可能である（すなわち、ベース１０に対しても移動可能である）ことが好ましい。
【００８８】
突起１７ａ〜１７ｄは、（上方の）位置でシートの完全な回転を可能にし、第２の（下方の）位置でシートの少なくとも後方に面する位置から（９０°回転した）入口および出口の方位への１回転のみを可能にすることが好ましい。代わりに、このケースでは回転を完全に阻止することもできる。
【００８９】
シート要素（例えば、ベビーシート）、特にベースに対して潜在的にのみ可能な（後方に面する）配置形状構造が、突起１７ｃ、１７ｄを押す場合に、回転を阻止することができる。同時に、突起が第２の位置に移動できないため、および、ベースに対してシート要素の（後述する）ロック装置と協働するため、結果としてシート要素（ベビーシート）を十分に下方に移動させることができず、シート要素（ベビーシート）の前向きの状態での取り付けを効果的に阻止することができる。しかし、例えばヘッドレストまたはボタン（など）が対応する位置に移動される場合に、さらなるシート要素の対応する要素によって他方のシート要素を押し下げることができ、突起１７ａ、１７ｂと協働することができる。
【００９０】
ベース１０上に、特に台座要素１３上に支持脚１８をさらに配置することができる。
【００９１】
図１の配置形状構造では、第１のシート要素は特に（前向きの方位に）取り付けることができるが、第２のシート要素は取り付けることができない。この場合に、前記第２のシート要素がベビーシートであり、前記第１のシート要素がグループＩＩ／ＩＩＩのチャイルドシートであることが好ましい。一方、第２のシート要素（ベビーシート）は、台座要素１３に対して１８０°回転した回転要素１４の位置に取り付けることが（も）できる。
【００９２】
回転要素１４を台座要素１３に対してロックするための機構については後述する。
【００９３】
この目的のために、（図１を参照、例えば図２に拡大されている）ロック要素１８ａ、１８ｂが最初に設けられる。
【００９４】
これらは、一方では、特にボタン２０およびスライダまたは引手２１を有する手動操作装置１９によって操作することができ、これらの対応する動作を矢印２２と２３でそれぞれ示している（図３参照）。
【００９５】
図４において、スライダまたは引手２１を引っ張る／スライドさせると、フック形状の傾斜要素２４が下方からロック要素１８ｂのピン２５を押す効果があることが分かる。結果として、ロック要素１８ｂのロックフック２６が台座要素１３上の（図４では詳細に見ることができない）対応する凹部から回転する。ロック要素１８ａはバー２７を介してロック要素１８ｂに接続されているので、ロック要素１８ａもそのロックされた位置から自動的に回転し、台座要素１４に対する回転要素１３の回転が可能になる。この有効化は、（手動操作装置１９の反対側に位置する）手動操作装置１９’の（鏡像反転）操作によって同様に実行するようにしてもよい。
【００９６】
ロック装置１８ａ，１８ｂの代替的な操作では、シート要素の特定の配置形状構造において、シート要素（特にグループＩＩ／ＩＩＩチャイルドシート）がレバーアーム２８（図５を参照）を押すように行うことができ、レバーアーム２８（図５の左側のピボット）を動かすことにより、図５に示すように凹部２９からロックフック２６が引き出される。この場合、シート要素は、場合によっては同時に、（同様にまたは鏡面反転されて設計されている）ロック要素１８ａおよび１８ｂの両方に作用することができる。ただし、バー２７があるために、ロック要素１８ａまたは１８ｂのうちいずれか一方だけに作用するのであってもおそらく十分である。
【００９７】
図１に示すように、回転要素１４はカバー２９を有する。回転要素１４の（特に金属製の）内部構造を提供することができる。この回転要素１４の内部構造は、特にフィンの内部構造および回転要素の残留するコンポーネントの内部構造を備えている。
【００９８】
本発明のベースのさらなる構造が図６〜図１５に示されている。これらの図では、カバー部品、特にカバー２９が取り外されている。
【００９９】
図６において、シートベース１０は前向きの方位で示されており、ロック要素１８ａ、１８ｂはロックされた状態にある。ロック要素の一つ、すなわち、ロック要素１８ａを、図７の詳細図において見ることができる。任意のスロット状の穴３０をさらに図中にみることができるが、それは回転要素１３全体と一緒に回転する任意のスクリーン３２の部品にすぎない。実際の対向構造は、下に敷かれたリング３１の（スクリーンにより隠されている）穴である。
【０１００】
ロック要素１８ａ、１８ｂは図８中において再び見ることができ、ここでも（特に十字形要素として）スクリーン３２を見ることができる。
【０１０１】
図９は、図８と同様の構造を示すが、これは他の視点からの図である。
【０１０２】
図１０に、入口および／または出口の方位での本発明の（カバー無しの）ベース１０のさらなる概観を示しており、ロック要素１８ａ、１８ｂはロック解除状態にある。
【０１０３】
図１０の配置形状構造においてソフトロックを形成するピン３３を図１１中に見ることができる。ピン３３の（上面）表面は丸みを帯びているので、（台座要素１３に対する回転要素１４の回転の結果として）横方向からの力によって設定（ソフトロック）に打ち勝つことができることが分かる。
【０１０４】
図１２の詳細図において、ロック要素１８ｂをロック解除状態で見ることができる。ロック要素１８ｂは、スクリーン３２を介して係合することが好ましいが、リング３１上に置かれている。図７と比べてみて、ロック要素１８ｂはかなり大きく旋回している。
【０１０５】
図１３は、後向き方位のベース１０の概観を示しており、ロック要素１８ａ、１８ｂはロック状態にある。
【０１０６】
図１４は、図１３の詳細な構造を示しており、すなわちロック位置にあるロック要素１８ｂを示している。
【０１０７】
図１５は、図１４と同様の構造を示しており、この図１５では図１４とは対照的に、ロック要素１８ｂは（大幅に）ロック解除された位置にあり、対向構造（スクリーン３２の下のリング３１の穴）を見ることができる。
【０１０８】
本出願の時点で、上記のすべての部品が単独で、および任意の組み合わせで、特に図面に示されている詳細が本発明に必須であると主張されていることに留意されたい。それらからの修正変更は、当業者にとって一般的なことである。
【符号の説明】
【０１０９】
１０…ベース、１１…シート要素、１２…子供、１３…台座要素、１４…カバー要素（回転要素）、１５…フィン、１６ａ…締結装置、１６ｂ…締結装置、１６ｃ…締結装置、１６ｄ…締結装置、１７ａ…突起、１７ｂ…突起、１７ｃ…突起、１７ｄ…突起、１８ａ…ロック装置（ロック要素）、１８ｂ…ロック装置（ロック要素）、１８…支持脚、１９…手動操作装置、２０…ボタン、２１…スライダまたは引手、２２…矢印、２３…矢印、２４…傾斜要素、２５…ピン、２６…ロックフック、２７…バー、２８…レバーアーム、２９…凹部、３０…穴、３１…リング、３２…スクリーン、３３…ピン
【図１】
2020533232.tif 000003
【図２】
2020533232.tif 000004
【図３】
2020533232.tif 000005
【図４】
2020533232.tif 000006
【図５】
2020533232.tif 000007
【図６】
2020533232.tif 000008
【図７】
2020533232.tif 000009
【図８】
2020533232.tif 000010
【図９】
2020533232.tif 000011
【図１０】
2020533232.tif 000012
【図１１】
2020533232.tif 000013
【図１２】
2020533232.tif 000014
【図１３】
2020533232.tif 000015
【図１４】
2020533232.tif 000016
【図１５】
2020533232.tif 000017
【図１６】
2020533232.tif 000018
【国際調査報告】
2020533232.tif 000019
2020533232.tif 000020
2020533232.tif 000021
2020533232.tif 000022
2020533232.tif 000023